(57)【要約】【課題】ホームセキュリティ、もしくはホームデジタル化に応用するセンサーの感知方法を提供する。【解決手段】センサーの感知方法は、主動モニタリングモジュール及び被動モニタリングモジュールでモニタリングを実施し、該主動モニタリングモジュールで先ず環境背景をモニタリングし、一オリジナル環境パラメータを一時保存し、更に被動モニタリングモジュールの作動で間歇的に主動モニタリングモジュールへ進み、被動モニタリングモジュールのモニタリング結果に基づき、後方装置を始動するか否かを決定したり、主動モニタリングモジュールのモニタリング結果とオリジナル環境パラメータを比較対照して後方装置を始動するか否かを決定したりする。【選択図】図１
2010092388.tif 000002
【特許請求の範囲】
【請求項１】
少なくともステップＡ、Ｂ、Ｃを含むセンサーの感知方法において、
主動モニタリングモジュールへ進み、先ず環境背景をモニタリングし、モニタリングしたパラメータ値をメモリーユニット内に一時保存し、オリジナル環境パラメータを形成するステップＡと、
被動モニタリングモジュールへ進み、仮に動体が感知範囲に進入したとモニタリングすると、信号を発して後方装置を作動するステップＢと、
被動モニタリングモジュール下に於いて間歇的に主動モニタリングモジュールへ進み、環境背景をモニタリングし、モニタリングした環境パラメータ値とメモリーユニット内に一時保存したオリジナル環境パラメータを比較対照し、比較対照した結果、もしも出した信号に差異があった場合、後方装置は継続して作動し、仮に比較対照の結果出した信号が同じである場合、後方装置を停止するステップＣを含むことを特徴とするセンサーの感知方法。
【請求項２】
前記センサーは、主動センサーユニット及び被動センサーユニットを設置し、該主動センサーユニットは主動モニタリングモジュールを実行するのに用い、該被動センサーユニットは被動モニタリングモジュールを実行するのに用い、該主動センサーユニットは、少なくとも一第一感知器、一駆動部品及び第一レンズを設置し、該駆動部品は該第一感知器と連接して該第一感知器を動かし、該被動センサーユニットは少なくとも一第二感知器及びレンズを設置することを特徴とする請求項１記載のセンサーの感知方法。
【請求項３】
前記第一、第二感知器は、焦電型赤外線センサーで、該駆動部品はステッピングモーターであることを特徴とする請求項２記載のセンサーの感知方法。
【発明の詳細な説明】
【技術分野】
【０００１】
本発明は、センサーの感知方法に関するもので、特にホームセキュリティ、もしくはホームデジタル化に応用できるセンサー装置で、該センサー装置の実用性を高める。
【背景技術】
【０００２】
焦電型赤外線センサーは、ホームセキュリティ及び自動化の応用に於いて既に長い時間を経てきた。その応用方法は、該焦電型赤外線センサーで人の微動をモニタリングし、スイッチを制御する。いわゆる微動とは、人のわずかな動作(例として頭を動かす、手で鼻を触る、小さく手を振る)のことで、家庭での自動化に使用する状況において、非常に実用的である。ただ感知器の感知範囲に入って、わずかな動作をするだけで、感知器に対応した電気製品、例として照明灯を灯し続ける等‥の動作を行う。
【０００３】
しかし、これにはその他の問題があり、電気製品は感知器が発する信号に基づいて動作するが、感知器は被動式の感知器に属する。つまり人の動きによってレンズアレイを通して感知器の感知面上に焦点を合わせ、感知面上の感知ポイントをエネルギーの移動へモニタリングし、更に信号を出して対応する回路を導電状態にし、対応する電気製品を始動する。しかし、人が一定時間移動しないと、赤外線センサーは相対する電気製品の回路を遮断してしまう。
【０００４】
即ち、人が動くことで信号を発するのだが、感知器上の通電時間を調整して明かりをつけている時間を伸ばすことが出来る。しかし、時間が来ると、何か動作をして回路通電の維持を図らなければならない。例として使用者が感知器のある部屋に入ったら、感知器は移動している人の赤外線エネルギーを感知し、信号を出して部屋の電気をつける。使用者が部屋で静止すると、感知器は人の移動を感知できないために、回路を切断し、電灯を消してしまう。そのため、使用者は、何か動作して感知器にエネルギー変化を感知させ、それによって信号を発信し、電灯を継続してつける。更にもし、電気がついている時間の間に、測量待ちの人がその場を離れた場合、電気製品は使用中であるため、エネルギーの浪費となってしまう。
【０００５】
更に上述問題の従来の改善方法は、すべて感知器が発する信号のピックアップ値を下げて標準を下げ、感知器の自在度が上げるが、誤動作の発生が多くなり、誤動作の発生を増やさずに感知器の実用性を高めることが本発明の課題である。
【発明の開示】
【発明が解決しようとする課題】
【０００６】
解決しようとする問題点は、人が何らかの動作をしないと、回路が切れてしまい、照明灯の明かりが消えてしまう点である。
【課題を解決するための手段】
【０００７】
本発明は、主動モニタリングモジュール及び被動モニタリングモジュールでモニタリングを実施し、該主動モニタリングモジュールで先ず環境背景をモニタリングし、一オリジナル環境パラメータを一時保存し、更に被動モニタリングモジュールの作動で間歇的に主動モニタリングモジュールへ進み、被動モニタリングモジュールのモニタリング結果に基づき、後方装置を始動するか否かを決定したり、主動モニタリングモジュールのモニタリング結果とオリジナル環境パラメータを比較対照して後方装置を始動するか否かを決定したりすることを最も主要な特徴とする。
【発明の効果】
【０００８】
本発明のセンサーの感知方法は、ホームセキュリティ、もしくはホームデジタル化に応用できるという利点がある。
【発明を実施するための最良の形態】
【０００９】
ホームセキュリティ、もしくはホームデジタル化に応用する一種のセンサー装置を提供し、該センサー装置の実用性を向上することを本発明の主な目的とする。
【００１０】
上述の目的を達成するため、本発明のセンサーは少なくとも主動センサーユニット、被動センサーユニット、制御ユニット及びメモリーユニットを含む。その感知方法は主動モニタリングモジュール及び被動モニタリングモジュールでモニタリングを行い、該主動モニタリングモジュールは環境背景をモニタリングして一オリジナル環境パラメータを一時保存する。更に被動モニタリングモジュール作動下に於いて間歇的に主動モニタリングモジュールへ進み、被動モニタリングモジュールのモニタリング結果に基づき、後方装置を始動するか決定したり、主動モニタリングモジュールのモニタリング結果とオリジナル環境パラメータを比較し対照して、後方装置を始動するかどうかを決定したりする。
【実施例１】
【００１１】
本発明「センサーの感知方法」において、図１に示すとおり、該センサー１は、少なくとも以下を含む。
【００１２】
少なくとも一主動センサーユニット１１を具え、該主動センサーユニット１１は、少なくとも一第一感知器１１１、一駆動部品１１２及び第一レンズ１１３を設置する。該駆動部品１１２は、該第一感知器１１１と連接し、該第一感知器１１１を動かし、該第一感知器１１１は焦電型赤外線センサーとする。該第一レンズ１１３は、複数の小レンズを組み合わせたプラスチックのレンズアレイとし、該駆動部品１１２はステッピングモーターとし、該駆動部品１１２で該第一感知器１１１を移動もしくは回転し、該測量待ち物体と相対運動する。
【００１３】
少なくとも一被動センサーユニット１２を具え、該被動センサーユニット１２は、少なくとも一第二感知器１２１及び第二レンズ１２２を設置する。該第二感知器１２１は焦電型赤外線センサーであり、該第二レンズ１２２は複数の小レンズを組み合わせたプラスチックのレンズアレイとする。
【００１４】
一制御ユニット１３を具え、該制御ユニット１３は、それぞれ該主動センサーユニット１１及び被動センサーユニット１２と連接し、該主動センサーユニット１１及び被動センサーユニット１２の動作を制御する。
【００１５】
一メモリーユニット１４を具え、該メモリーユニット１４は、該主動センサーユニット１１と連接する。
【００１６】
該センサー１は、少なくとも一後方装置２を連接して用い、センサー装置を形成する。図２に示すとおり、更に該センサー１は一伝送ユニット１５(当然該伝送ユニット１５は有線もしくは無線方式で伝送する)も設置する。該伝送ユニット１５は、該制御ユニット１３と連接し、主動センサーユニット１１及び被動センサーユニット１２でセンサーした信号を制御ユニット１３及び伝送ユニット１５を経て該後方装置２へ伝送し、該後方装置２を作動させるか、もしくは作動を停止させる。該後方装置２は照明灯、家庭設備、セキュリティシステム、警報装置及び携帯電話の任意の一種とし、該センサー装置をホームセキュリティもしくはホームデジタル化内で応用する。そのうち、該センサー装置の感知方法は、図２及び図３に示すとおり、少なくとも以下のステップを含む。
【００１７】
ステップＡは、該主動センサーユニット１が主動モニタリングモジュールを実施する。先ず環境背景に対してモニタリングを実施し(図４参照)、この時、該感知範囲Ａ内には動体(例として人体)は存在しない。また該第一感知器１１１は第一レンズ１１３を通して感知範囲内の物体３１が発した赤外線を受信し、モニタリングしたパラメータ値をメモリーユニット１４内に一時保存してオリジナル環境パラメータを形成する。
【００１８】
ステップＢは、被動モニタリングモジュールへ進む。該被動モニタリングモジュールは、被動センサーユニット１２で実行し、仮に動体３２(例として人体)が感知範囲Ａ(図５参照)に進入したとモニタリングした場合、該第二感知器１２１は、第二レンズ１２２を通してセンサーする動体３２が発した赤外線を受信し、信号を発して制御ユニット１３及び伝送ユニット１５から該後方装置２へ伝送し、後方装置２を作動させる。図に示すように、該後方装置２は照明灯であり、この時、該照明灯は明かりがついた状態になる。勿論、仮に該動体３２が該感知範囲Ａ内で動作を継続した時、該被動センサーユニット１２は同様に動動体３２の赤外線エネルギーを感知し、信号を発して後方装置２を継続して作動させる。
【００１９】
ステップＣは、被動モニタリングモジュールに於いて、間歇的に主動モニタリングモジュールへ進む。本実施例に於いて、制御ユニット１３で先ず該主動センサーユニット１の動作時間を設定し、該主動モニタリングモジュールを一定の間隔時間内で作動させ、環境背景に対してモニタリングを行い、モニタリングした環境パラメータ値とメモリーユニット１４内に一時保存したオリジナル環境パラメータを比較対照する。そのうち、該測量待ちの動体３２は該感知範囲Ａ内にいるが、靜止状態(図６参照)であるため、この時、該被動モニタリングモジュールはセンサーできず、該主動モニタリングモジュールでモニタリングを実施する。測量待ちの動体３２は感知範囲Ａ内に於けるモニタリングした環境パラメータ値はその前に測量したオリジナル環境パラメータに差異があり、その時の主動センサーユニット１は測量待ちの動体３２が感知範囲Ａ内に入ると判定し、対応する後方装置２の回路を通電状態に維持する。但し、主動モニタリングモジュールでモニタリングした環境パラメータ値とオリジナル環境パラメータが同じである場合、該主動センサーユニット１は測量待ちの動体が既に感知範囲Ａ(図４参照)から離れたと判定し、信号を発して後方装置２を停止させ、照明灯を切る。
【００２０】
上述のとおり、本発明は、主に主動センサーユニットと測量待ちの動体間に相対運動を形成することによって、主動モニタリングモジュールを構成し、該主動モニタリングモジュールで一定間隔の時間内に於いて環境背景をモニタリングし、オリジナル環境パラメータと比較対照した結果から該測量待ちの動体が感知範囲内に居るのか否かを判定し、更に後方装置を付けるか消すかを制御し、測量待ちの動体が動作を続ける必要がなく、該測量待ちの動体の存在を判定できる。公知の感知器は測量待ちの動体が静止状態の時、感知できなかった欠点を改善した。
【００２１】
本発明の技術内容及び技術特徴は上述に示すとおりである。しかしながら、本技術に習熟した者は本発明を基礎として各種本発明の精神から乖離しない入替、修飾を行うことがあるかもしれない。そのため、本発明の保護範囲は、実施例に示すものに制限されず、本発明の入替及び修飾を含み、特許の請求範囲に含むものとする。
【図面の簡単な説明】
【００２２】
【図１】本発明はセンサーの構造指示図である。
【図２】本発明はセンサー装置の構造指示図である。
【図３】本発明は感知方法のフローチャートである。
【図４】本発明は本発明中進行主動感測モジュールの指示図である。
【図５】本発明は本発明中進行被動感測モジュールの指示図である。
【図６】本発明は本発明中進行主動感測モジュールの指示図である。
【符号の説明】
【００２３】
１        センサー
１１        主動センサーユニット
１１１        第一感知器
１１２        駆動部品
１１３        第一レンズ
１２        被動センサーユニット
１２１        第二感知器
１２２        第二レンズ
１３        制御ユニット
１４        メモリーユニット
１５        伝送ユニット
２        後方装置
３１        物体
３２        動体
【図１】
2010092388.tif 000003
【図２】
2010092388.tif 000004
【図３】
2010092388.tif 000005
【図４】
2010092388.tif 000006
【図５】
2010092388.tif 000007
【図６】
2010092388.tif 000008